(57)【要約】  放電灯における発光管の内部空間に始動性促進物質を封入しなくても良好な始動性を得ることができ、かつ、その放電灯が純正品か否かを見分けることのできる照射装置を提供する。  照射装置（５０）を、光源となる放電灯（１１０）と、放電灯（１１０）の始動時において、放電灯（１１０）が純正品であるかどうかを検出するために放電灯（１１０）に対して紫外光を照射する紫外線光源（２００）とで構成する。
2019176600.tif 000002
【特許請求の範囲】
【請求項１】
光源となる放電灯と、  前記放電灯が純正品であるかどうかを検出するための白熱灯と、  前記放電灯および前記白熱灯が取り付けられたリフレクタ容器とを備える光源装置であって、  前記放電灯は、外部に設けられた紫外線光源からの紫外線の照射を受けて点灯することを特徴とする  光源装置。
【請求項２】
光源となる放電灯と、  前記放電灯の始動時において、前記放電灯が純正品であるかどうかを検出するために前記放電灯に対して紫外光を照射する紫外線光源とを備える照射装置。
【請求項３】
複数の前記放電灯を備えており、前記紫外線光源は複数の前記放電灯に対して前記紫外光を照射することを特徴とする請求項２に記載の照射装置。
【請求項４】
前記紫外線光源は前記放電灯の近傍に取り付けられており、ひとつの前記紫外線光源は、ひとつの前記放電灯に対して前記紫外光を照射することを特徴とする請求項２に記載の照射装置。
【請求項５】
前記紫外線光源はＬＥＤであることを特徴とする、請求項２から４のいずれか１項に記載の照射装置。
【請求項６】
前記紫外線光源は、ＬＥＤと、前記ＬＥＤに対して直列に接続された白熱灯とを有していることを特徴とする、請求項２から４のいずれか１項に記載の照射装置。
【請求項７】
前記放電灯に点灯用の電力を供給する放電灯用電源と、  前記紫外線光源に点灯用の電力を供給する紫外線光源用電源と、  前記放電灯用電源からの前記電力をオン・オフする放電灯用スイッチと、  前記紫外線光源用電源からの前記電力をオン・オフする紫外線光源用スイッチと、  前記放電灯用スイッチおよび前記紫外線光源用スイッチをオン・オフする機能を有しており、１回目は前記紫外線光源用スイッチをオフにしたままで前記放電灯用スイッチをオンにして、２回目は前記紫外線光源用スイッチをオンにした状態で前記放電灯用スイッチをオンにする制御部と、  １回目および２回目ともに前記放電灯用スイッチをオンにしたときに前記放電灯が点灯した場合は前記放電灯が純正品ではないと判定し、２回目に前記放電灯用スイッチをオンにしたときだけ前記放電灯が点灯した場合は前記放電灯が純正品であると判定する判定部とをさらに備えている、請求項２から６のいずれか１項に記載の照射装置。
【請求項８】
１回目は、紫外線光源用電源から供給された紫外線光源の点灯用の電力をオン・オフする紫外線光源用スイッチをオフにしたままで、放電灯用電源から供給された放電灯の点灯用の電力をオン・オフする放電灯用スイッチをオンにして、  ２回目は、前記紫外線光源用スイッチをオンにした状態で、前記放電灯用スイッチをオンにして、  １回目および２回目ともに前記放電灯用スイッチをオンにしたときに前記放電灯が点灯した場合は前記放電灯が純正品ではないと判定し、２回目に前記放電灯用スイッチをオンにしたときだけ前記放電灯が点灯した場合は前記放電灯が純正品であると判定する  放電灯の判定方法。
【発明の詳細な説明】
【技術分野】
【０００１】  本発明は、例えば、プリント配線基板等の露光に用いる光を発する放電灯を含む光源装置、照射装置、および当該放電灯が純正品であるか否かの判定方法に関する。
【背景技術】
【０００２】  従来、電子機器に部品を実装するために樹脂やガラスエポキシ材の基板上に銅等の金属で配線パターンを形成したプリント配線基板が用いられている。これらのプリント配線基板上への配線パターンの形成にはフォトエッチング技術が用いられている。フォトエッチングは、配線となる金属層が全面に形成された基板上全面に、感光性の薬剤であるフォトレジストを塗布し、これに配線パターンと同一のフォトマスクを通して露光装置からの照射光を照射することによって行う。【０００３】  フォトレジストには、照射光によりフォトレジストの溶解性が低下するネガ型フォトレジストと、逆に照射光によりフォトレジストの溶解性が増大するポジ型フォトレジストがある。照射光により溶解性が相対的に増大したフォトレジスト部分を化学処理して取り除き、露出した金属層をエッチングにより除去するとフォトレジストが残った部分の下にある金属層だけが残り、フォトレジストを除去することで配線パターンが基板上に形成される。ポジ型、ネガ型いずれのフォトレジストに照射光を照射する場合でも、照射面全面に亘って均一な露光量を確保するために、光源として、１灯当りの発光量が多い放電灯が使用されている。【０００４】  放電灯は、発光管における気密された内部空間において互いに離間対向して配置された一対の電極同士の間でアーク放電を生じさせることにより、当該内部空間に封入された水銀を励起させて紫外光を発光させるようになっている。【０００５】  放電灯の点灯を開始させるためには、一対の電極同士の間でグロー放電を開始させ、然る後、アーク放電に移行させることになるが、グロー放電を開始させるためには、真空環境下で物理的に離間している電極間で絶縁破壊を生じさせる必要がある。この絶縁破壊を生じさせるためには電極間に高周波の大電圧を印加させる必要があるが、そのような大電圧を印加させる電源装置は非常に高額であり、また、発生させた高周波が周囲の機械の誤動作を誘引する可能性も指摘されている。このため、少しでも低い電圧や低い周波数で放電を開始させるため、つまり放電灯の始動性を高めるために様々な工夫が提案されている。【０００６】  例えば、特許文献１には、発光管の内部空間にクリプトン８５などの始動性促進物質を封入することによって始動性を高める技術が記載されている。
【先行技術文献】
【特許文献】
【０００７】
【特許文献１】特開２００９−１８１９２７号公報
【発明の概要】
【発明が解決しようとする課題】
【０００８】  しかしながら、発光管の内部空間にクリプトン８５を封入した場合、放電灯の始動性は良好になるものの、当該放電灯を廃棄する際には環境への影響が懸念されるおそれがあった。【０００９】  加えて、クリプトン８５が封入されていない放電灯の始動性を高める工夫を施した照射装置を開発した場合、クリプトン８５が封入されていない純正品の放電灯に紛れて、クリプトン８５が封入された純正品ではない放電灯が照射装置に取り付けられる可能性があり、照射装置にはこのような純正品でない放電灯を排除できるような工夫が求められていた。【００１０】  本発明は、前述した課題に鑑みてなされたものであり、その目的は、放電灯における発光管の内部空間に始動性促進物質を封入しなくても良好な始動性を得ることができ、かつ、その放電灯が純正品か否かを見分けることのできる光源装置、照射装置、および当該放電灯が純正品であるか否かの判定方法を提供することにある。
【課題を解決するための手段】
【００１１】  本発明の一局面によれば、  光源となる放電灯と、  前記放電灯が純正品であるかどうかを検出するための白熱灯と、  前記放電灯および前記白熱灯が取り付けられたリフレクタ容器とを備える光源装置であって、  前記放電灯は、外部に設けられた紫外線光源からの紫外線の照射を受けて点灯することを特徴とする光源装置が提供される。【００１２】  本発明の一局面によれば、  光源となる放電灯と、  前記放電灯の始動時において、前記放電灯が純正品であるかどうかを検出するために前記放電灯に対して紫外光を照射する紫外線光源とを備える照射装置が提供される。【００１３】  好適には、前記照射装置は複数の前記放電灯を備えており、前記紫外線光源は複数の前記放電灯に対して前記紫外光を照射する。【００１４】  好適には、前記紫外線光源は前記放電灯の近傍に取り付けられており、ひとつの前記紫外線光源は、ひとつの前記放電灯に対して前記紫外光を照射する。【００１５】  好適には、前記紫外線光源は、ＬＥＤである。【００１６】  好適には、前記紫外線光源は、ＬＥＤと、前記ＬＥＤに対して直列に接続された白熱灯とを有している。【００１７】  好適には、前記照射装置は、  前記放電灯に点灯用の電力を供給する放電灯用電源と、  前記紫外線光源に点灯用の電力を供給する紫外線光源用電源と、  前記放電灯用電源からの前記電力をオン・オフする放電灯用スイッチと、  前記紫外線光源用電源からの前記電力をオン・オフする紫外線光源用スイッチと、  前記放電灯用スイッチおよび前記紫外線光源用スイッチをオン・オフする機能を有しており、１回目は前記紫外線光源用スイッチをオフにしたままで前記放電灯用スイッチをオンにして、２回目は前記紫外線光源用スイッチをオンにした状態で前記放電灯用スイッチをオンにする制御部と、  １回目および２回目ともに前記放電灯用スイッチをオンにしたときに前記放電灯が点灯した場合は前記放電灯が純正品ではないと判定し、２回目に前記放電灯用スイッチをオンにしたときだけ前記放電灯が点灯した場合は前記放電灯が純正品であると判定する判定部とをさらに備えている。【００１８】  本発明の他の局面によれば、  １回目は、紫外線光源用電源から供給された紫外線光源の点灯用の電力をオン・オフする紫外線光源用スイッチをオフにしたままで、放電灯用電源から供給された放電灯の点灯用の電力をオン・オフする放電灯用スイッチをオンにして、  ２回目は、前記紫外線光源用スイッチをオンにした状態で、前記放電灯用スイッチをオンにして、  １回目および２回目ともに前記放電灯用スイッチをオンにしたときに前記放電灯が点灯した場合は前記放電灯が純正品ではないと判定し、２回目に前記放電灯用スイッチをオンにしたときだけ前記放電灯が点灯した場合は前記放電灯が純正品であると判定する  放電灯の判定方法が提供される。
【発明の効果】
【００１９】  本発明によれば、放電灯における発光管の内部空間に始動性促進物質を封入しなくても良好な始動性を得ることができ、かつ、その放電灯が純正品か否かを見分けることのできる光源装置、照射装置、および当該放電灯が純正品であるか否かの判定方法を提供できた。
【図面の簡単な説明】
【００２０】
【図１】本発明が適用された露光機１０の一例を示す図である。
【図２】本発明が適用された照射装置５０の一例を示す図である。
【図３】本発明が適用された照射装置５０の一例を示す平面図である。
【図４】本発明が適用された光源装置１００の一例を示す断面図である。
【図５】放電灯１１０の一例を示す断面図である。
【図６】本発明が適用された判定装置５７の一例を示す図である。
【図７】変形例１にかかる照射装置５０の一例を示す図である。
【図８】変形例２にかかる光源装置１００の一例を示す断面図である。
【図９】変形例３にかかる光源装置１００の一例を示す断面図である。
【発明を実施するための形態】
【００２１】（実施例１）  実施例１では、一例として、本発明が適用された照射装置５０をプリント配線基板等の露光を行う露光機１０に用いた場合について説明する。もちろん、照射装置５０は露光機１０だけでなく、他の照明用途に使用することができる。また、放電灯１１０から放射される光の波長も照明用途に応じたものが選択される。
【００２２】（露光機１０の構成）  図１は、本発明が適用された実施例１に係る露光機１０を示す。露光機１０は、大略、照射装置５０と、インテグレータ１２と、凹面鏡１４と、照射面１６とで構成されている。
【００２３】  照射装置５０は、露光対象物Ｘの露光に適した波長を含む光を放射する。照射装置５０の詳細については、露光機１０の構成を説明した後で説明する。
【００２４】  インテグレータ１２は、照射装置５０からの光を受け入れる入射面１８、および、受け入れた光の均一性を高めたうえで当該光を出射する出射面２０を有している。入射面１８および出射面２０には、それぞれ、複数のフライアイレンズ２１が形成されている。
【００２５】  凹面鏡１４は、その内側に反射凹面２２を有している。この凹面鏡１４は、インテグレータ１２から出射された光を反射凹面２２で反射させて平行光にする。
【００２６】  照射面１６は、凹面鏡１４からの平行光を受ける光であり、当該平行光に対して略直交する向きに配置されている。この照射面１６には、露光対象物Ｘが載置される。露光対象物Ｘの表面には、例えば感光剤が塗布されている。凹面鏡１４からの平行光が露光対象物Ｘにおける所望の領域を照射することにより、露光対象物Ｘの表面に所望の回路パターン等が形成される。
【００２７】（照射装置５０の構成）  図２は、本発明が適用された実施例１に係る照射装置５０を示す図である。また、図３は、照射装置５０の平面図である。照射装置５０は、複数の光源装置１００と、紫外線光源２００と、フレーム５２と、放電灯用スイッチ５３と、放電灯用電源５４と、紫外線光源用スイッチ５５と、紫外線光源用電源５６と、判定装置５７とを備えている。
【００２８】  光源装置１００は、露光対象物Ｘの露光に適した波長を含む光を放射する。光源装置１００は、図４に示すように、大略、放電灯１１０と、リフレクタ１５０と、絶縁ベース１７０とで構成されている。なお、リフレクタ１５０と絶縁ベース１７０とをまとめてリフレクタ容器１５１と記載することがある。
【００２９】  紫外線光源２００は、本実施例の場合、紫外光を放射するＬＥＤであり、各光源装置１００に組み込まれている。そこで、本実施例における紫外線光源２００の説明は、光源装置１００の説明と併せて行う。なお、紫外線光源２００はＬＥＤに限定されるものではなく、紫外光を放射できるものであれば、高圧水銀ランプやメタルハライドランプ等を使用してもよい。とりわけ、後述する変形例１に示すように、複数の放電灯１１０に対して紫外光を照射する場合には、１個あたりの発光量が多いランプを選択するのが好適である。
【００３０】  放電灯１１０は、図５に示すように、発光管部１１２と、当該発光管部１１２から延出する一対のシール部１１４とを有している。発光管部１１２および一対のシール部１１４は、石英ガラスで一体的に形成されている。さらに、発光管部１１２内にはシール部１１４によって密閉された内部空間１１６が形成されている。
【００３１】  放電灯１１０の各シール部１１４内には、埋設されたモリブデン製の箔１１８と、一端が箔１１８の一方端部に接続されているとともに他端が内部空間１１６内に配置されたタングステン製の一対の電極１２０と、一端が箔１１８の他方端部に接続されているとともに他端がシール部１１４から外部へ延出する一対のリード棒１２２とがそれぞれ設けられている。また、内部空間１１６には、所定量の水銀１２４およびハロゲン（例えば臭素）が封入されている。
【００３２】  放電灯１１０に設けられた一対のリード棒１２２に所定の高電圧を印加すると、発光管部１１２の内部空間１１６に設けられた一対の電極１２０間で開始したグロー放電がアーク放電に移行し、このアークによって蒸発および励起された水銀１２４によって光（主に紫外線）が放射される。
【００３３】  図４に戻って、本実施例にかかる光源装置１００では、一方のシール部１１４がリフレクタ１５０のシール部挿設孔１５６に挿設されている。なお、放電灯１１０は、交流点灯用でも直流点灯用でもよい。
【００３４】  リフレクタ１５０は、椀状の反射面１５２をその内側表面に有している。この反射面１５２は、リフレクタ１５０の内側に発光管部１１２が位置するように配置された放電灯１１０からの光の一部を反射させる。本実施例では、この反射面１５２は回転放物面で規定されている。また、放電灯１１０における発光点（概略、内部空間１１６における一対の電極１２０間に形成されたアークの中央位置）は当該回転放物面の焦点に一致している。これにより、放電灯１１０の発光点から放射され、反射面１５２で反射した後、リフレクタ１５０の開口１５４から出た光は、ほぼ平行光となる。もちろん、反射面１５２の形状はこれに限定されるものではなく、回転楕円面やその他の回転面、あるいは回転面以外の形状であってもよい。また、発光点を焦点に一致させることは必須ではなく、必要に応じて、発光点を焦点からずらしてもよい。
【００３５】  また、リフレクタ１５０における開口１５４とは反対側からは、底頸部１５５が突設されている。さらに、リフレクタ１５０の反射面１５２には、放電灯１１０にける一方のシール部１１４が挿設されるシール部挿設孔１５６が形成されている。このシール部挿設孔１５６は、反射面１５２の底から底頸部１５５の先端にかけて形成されている。
【００３６】  図１に示すように、放電灯１１０にリフレクタ１５０を組み合わせることにより、放電灯１１０から放射された光は、反射面１５２の中心軸ＣＬに沿って進む光を中心として所定の角度（開き角）をもった範囲でリフレクタ１５０の前方に進むようになる。
【００３７】  図４に戻り、絶縁ベース１７０は、セラミック等の電気的絶縁体で形成されており、リフレクタ１５０の底頸部１５５およびシール部挿設孔１５６に挿設された放電灯１１０における一方のシール部１１４が挿入されるリフレクタ挿入穴１７２が形成されている。底頸部１５５およびシール部１１４がリフレクタ挿入穴１７２に挿入されることにより、絶縁ベース１７０がシール部挿設孔１５６を外側から覆うことになる。
【００３８】  また、絶縁ベース１７０には、上述したリフレクタ挿入穴１７２に連通する内側空間１７４が形成されており、さらに当該内側空間１７４と外側とを互いに連通して電源ケーブルＡが挿通される電源ケーブル挿通穴１７６が形成されている。
【００３９】  さらに、絶縁ベース１７０および放電灯１１０は、電気絶縁性および高い熱伝導性を有する無機接着剤Ｃによって互いに固定されている。具体的に説明すると、絶縁ベース１７０のリフレクタ挿入穴１７２にリフレクタ１５０の底頸部１５５の端部、および、放電灯１１０の一方のシール部１１４を挿入し、さらに、絶縁ベース１７０の内側空間１７４に紫外線光源２００および電源ケーブルＡを配置した状態で、当該内側空間１７４に無機接着剤Ｃが充填されている。なお、紫外線光源２００は、放電灯１１０の近傍に取り付けられており、さらに言えば、当該紫外線光源２００からの紫外光が放電灯１１０におけるリフレクタ挿入穴１７２に挿入された側のシール部１１４の端面に向けて放射される位置に設けるのが好適である。
【００４０】  図３に戻り、フレーム５２は、複数の光源装置１００が装着される複数の凹所５８が形成された略直方体状の部材である。
【００４１】  図２に戻り、放電灯用電源５４は、フレーム５２に取り付けられた各光源装置１００の放電灯１１０に必要な電力（直流あるいは交流）を供給する。また、紫外線光源用電源５６は、各光源装置１００に組み込まれた紫外線光源２００に直流の電流を供給する電源であり、紫外線光源用スイッチ５５は紫外線光源２００に供給する直流の定電流をオン・オフする。紫外線光源用電源５６が供給する直流は、紫外線光源２００を構成するＬＥＤの順方向に流れるようになっている。
【００４２】  判定装置５７は、各光源装置１００（放電灯１１０）が純正品か否かを判定するための装置であり、図６に示すように、大略、制御部６０と、判定部６６とを有している。
【００４３】  制御部６０は、放電灯用スイッチ５３および紫外線光源用スイッチ５５を操作して、放電灯用電源５４から放電灯１１０に供給される電流をオン・オフするとともに、紫外線光源用電源５６から紫外線光源２００に供給される電流をオン・オフする機能を有する。
【００４４】  制御部６０は基本的に２つの動作を行う。すなわち、制御部６０は、１回目は紫外線光源用スイッチ５５をオフにしたままで放電灯用スイッチ５３をオンにして、２回目は紫外線光源用スイッチ５５をオンにした状態で前記放電灯用スイッチ５３をオンにする。
【００４５】  判定部６６は、上述した制御部６０による１回目の動作の結果、および、２回目の動作の結果、ともに放電灯用スイッチ５３をオンにしたときに放電灯１１０が点灯した場合は放電灯１１０が純正品ではないと判定し、２回目に放電灯用スイッチ５３をオンにしたとき（つまり、紫外線光源用スイッチ５５をオンにした状態のとき）だけ放電灯１１０が点灯した場合は放電灯１１０が純正品であると判定する。
【００４６】  なお、判定部６６における、放電灯１１０が点灯したか否かの判断は、例えば、放電灯用電源５４から放電灯１１０に対して供給される電圧が高電圧（点灯［絶縁破壊］前）からより低い電圧（点灯［絶縁破壊］後）に変化したことをもって「放電灯１１０が点灯した」と判断してもよい。あるいは、放電灯１１０からの光を受けられる位置に光センサーを設け、当該光センサーが放電灯１１０からの光を受けたことをもって「放電灯１１０が点灯した」と判断することもできる。もちろん、他の手法をもって「放電灯１１０が点灯した」と判断してもよい。
【００４７】（照射装置５０における純正品判定の動作）  照射装置５０の電源スイッチ（図示せず）が投入されると、判定装置５７における制御部６０が動作を開始し、フレーム５２に取り付けられたいずれか１つの光源装置１００における紫外線光源２００に電力を供給する紫外線光源用スイッチ５５をオフにしたままで、当該光源装置１００における放電灯１１０に電力を供給する放電灯用スイッチ５３をオンにして、当該放電灯１１０の点灯を試みる（１回目）。然る後、制御部６０は、一旦、放電灯用スイッチ５３をオフにする。そして、紫外線光源用スイッチ５５をオンにするとともに、放電灯用スイッチ５３を再びオンにする（２回目）。なお、判定装置５７が動作するタイミングはこれに限定されるものではない。
【００４８】  判定部６６は、１回目および２回目の動作でそれぞれ放電灯１１０が点灯したか否かを判断し、その判断結果に基づいて上述のように当該放電灯１１０が純正品であるか否かを判定する。
【００４９】  １つ目の光源装置１００における純正品判定が完了した後、制御部６０は他の光源装置１００における放電灯１１０への電流の供給を開始する。以降、上述した１つ目の光源装置１００の場合と同様に純正品判定を行い、すべての光源装置１００の判定を終了するまで、あるいは所定の範囲の光源装置１００の検査を終了するまで同様の判定を繰り返す。
【００５０】（照射装置５０の特徴）  本実施例によれば、放電灯１１０における発光管部１１２の内部空間１１６にクリプトン８５等の始動性促進物質を封入しなくても、紫外線光源２００からの紫外光を照射することにより、当該放電灯１１０の始動性を改善することができた。
【００５１】  また、判定装置５７により、放電灯１１０が純正品か否かを判定することができた。これにより、長期間使用して破裂の危険性がある純正品でない放電灯１１０が誤って使用され続けるのを回避できる。
【００５２】（変形例１）  上述の実施例１では、複数の放電灯１１０のそれぞれに紫外線光源（ＬＥＤ）２００が取り付けられていたが、図７に示すように、フレーム５２に取り付けられた複数の光源装置１００における放電灯１１０に向けて紫外光を照射できるように１つの紫外線光源２００を配置してもよい。この場合、紫外線光源２００からの紫外光は、光源装置１００における各リフレクタ１５０の開口１５４を通って放電灯１１０の発光管部１１２を直接照射することになる。これにより、実施例１の場合と同様、放電灯１１０の始動性を改善することができる。なお、配置する紫外線光源２００の数は、複数であってもよい。
【００５３】  また、この変形例１の場合であっても放電灯１１０が純正品か否かを判定する方法は実施例１と同じである。１回目の動作では、紫外線光源２００に給電する紫外線光源用スイッチ５５をオフにしたままで、判定対象とする放電灯１１０に給電する放電灯用スイッチ５３をオンにして当該放電灯１１０が点灯するか否かを確認する。そして、２回目の動作では、紫外線光源用スイッチ５５をオンにした状態で、放電灯用スイッチ５３をオンにして当該放電灯１１０が点灯するか否かを確認する。
【００５４】  然る後、１回目の動作の結果、および、２回目の動作の結果、ともに放電灯用スイッチ５３をオンにしたときに放電灯１１０が点灯した場合は放電灯１１０が純正品ではないと判定し、２回目に放電灯用スイッチ５３をオンにしたとき（つまり、紫外線光源用スイッチ５５をオンにした状態のとき）だけ放電灯１１０が点灯した場合は放電灯１１０が純正品であると判定する。
【００５５】（変形例２）  上述の実施例における光源装置１００の紫外線光源２００は、ＬＥＤのみで構成されていたが、図８に示すように、紫外線光源２００を、ＬＥＤ２０２と、当該ＬＥＤ２０２に対して直列に接続された白熱灯２０４とで構成し、光源装置１００（より正確には、実施例１と同様に絶縁ベース１７０の内側空間１７４）に設けてもよい。なお、回路保護等のため、ＬＥＤ２０２や白熱灯２０４に対して直列にフューズを取り付けてもよい。
【００５６】  この場合、光源装置１００の純正品判定は、最初に説明した実施例１と同様に紫外線光源２００を用いるやり方と、白熱灯２０４を用いるやり方とを組み合わせることが可能となる。両方のやり方を同時に実施してもよいし、いずれか一方を実施することもできる。
【００５７】  この変形例２において、白熱灯２０４を用いた純正品判定は、紫外線光源用電源５６から白熱灯２０４に対して、制御部６０により定電流を供給し続けた状態で、所定の時間（例えば１０秒）をあけて２回、紫外線光源２００の両端電圧を測定することによって行う。
【００５８】  紫外線光源２００に対して定電流を供給開始した後、当該紫外線光源２００の両端電圧を判定装置５７の測定部（図示せず。以下、同じ。）で測定する（１回目）。次に、所定の時間（例えば、１０秒）が経過した後、測定部がふたたび紫外線光源２００の両端電圧を測定する（２回目）。測定された２回分の両端電圧値は、判定装置５７の判定部６６に送られる。なお、紫外線光源２００に流す定電流は、ＬＥＤ２０２の順方向電流に該当する直流である。
【００５９】  ２回分の両端電圧値を受け取った判定部６６は、２回分の両端電圧値の差が所定の電圧範囲内にあるか否かを確認し、両端電圧値の差が所定の電圧範囲内にある場合、判定部６６は、検査対象の放電灯１１０が純正品であると判定する。逆に、両端電圧値の差が所定の電圧範囲内にない場合、判定部６６は、検査対象の放電灯１１０が純正品ではないと判定する。
【００６０】  一般的に、白熱灯２０４は、それに含まれるフィラメントの特性上、電流を通電してしばらく（１０数秒）の間は抵抗値が増加する傾向にある。このため、２回目に測定した紫外線光源２００の両端電圧値（例えば８．５Ｖ）は、１回目に測定した同じ両端電圧の値（例えば２．０Ｖ）に比べて大きくなる。これにより、上述した２回の測定による両端電圧値の差が所定の電圧範囲内（例えば、６から７Ｖの間）にある場合、その放電灯１１０は白熱灯２０４を備える純正品であると判定することができる。
【００６１】  これに対し、放電灯１１０が純正品でない場合、紫外線光源２００は白熱灯２０４を備えていないことから、紫外線光源２００の両端電圧値における１回目の測定値と２回目の測定値との差はほぼゼロになる。したがって、両端電圧値の差が所定の電圧範囲内にない場合、判定部６６は、検査対象の放電灯１１０が純正品ではないと判定する。
【００６２】（変形例３）  上述した変形例１のように、フレーム５２に取り付けられた複数の光源装置１００における放電灯１１０に向けて紫外光を照射する紫外線光源２００を配置する場合、図９に示すように、ＬＥＤ２０２ではなく、白熱灯２０４のみを光源装置１００に設けてもよい。なお、白熱灯２０４は、絶縁ベース１７０内のいずれに配置してもよいし、絶縁ベース１７０の外面や、リフレクタ１５０の外面などに配置することによってリフレクタ容器１５１に取り付けてもよい。また、回路保護等のため、白熱灯２０４に対して直列にフューズを取り付けてもよい。
【００６３】  この場合、光源装置１００の純正品判定は、変形例１と同様に紫外線光源２００を用いるやり方と、白熱灯２０４を用いるやり方とを組み合わせることが可能となる。両方のやり方を同時に実施してもよいし、順番に実施してもよいし、いずれか一方を実施することもできる。
【００６４】  白熱灯２０４を用いた純正品判定について説明する。白熱灯２０４を用いた純正品判定は、紫外線光源用電源５６あるいは別の電源（図示せず）から白熱灯２０４に対して、制御部６０により定電流（交流でも直流でもよい）を供給し続けた状態で、所定の時間（例えば１０秒）をあけて２回、白熱灯２０４に接続される一対の電源ケーブルＡの両端電圧を測定することによって行う。
【００６５】  白熱灯２０４に対して定電流を供給開始した後、当該白熱灯２０４の両端電圧を判定装置５７の測定部（図示せず。以下、同じ。）で測定する（１回目）。次に、所定の時間（例えば、１０秒）が経過した後、測定部がふたたび白熱灯２０４の両端電圧を測定する（２回目）。測定された２回分の両端電圧値は、判定装置５７の判定部６６に送られる。
【００６６】  ２回分の両端電圧値を受け取った判定部６６は、２回分の両端電圧値の差が所定の電圧範囲内にあるか否かを確認し、両端電圧値の差が所定の電圧範囲内にある場合、判定部６６は、検査対象の放電灯１１０が純正品であると判定する。逆に、両端電圧値の差が所定の電圧範囲内にない場合、判定部６６は、検査対象の放電灯１１０が純正品ではないと判定する。
【００６７】  放電灯１１０が白熱灯２０４を備えている純正品である場合、白熱灯２０４の両端電圧値は、１回目の測定値よりも、２回目の測定値の方が大きくなる。この理由は、変形例２で説明したものと同じであるからそれを援用して省略する。これにより、上述した２回の測定による両端電圧値の差が所定の電圧範囲内（例えば、６から７Ｖの間）にある場合、その放電灯１１０は白熱灯２０４を備えている純正品であると判定することができる。
【００６８】  これに対し、放電灯１１０が純正品でない場合、白熱灯２０４を備えていないことから、電源ケーブルＡの両端電圧値における１回目の測定値と２回目の測定値との差はほぼゼロになる。したがって、両端電圧値の差が所定の電圧範囲内にない場合、判定部６６は、検査対象の放電灯１１０が純正品ではないと判定する。
【００６９】  今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７０】  １０…露光機、１２…インテグレータ、１４…凹面鏡、１６…照射面、１８…入射面、２０…出射面、２１…フライアイレンズ、２２…反射凹面  ５０…照射装置、５２…フレーム、５３…放電灯用スイッチ、５４…放電灯用電源、５５…紫外線光源用スイッチ、５６…紫外線光源用電源、５７…判定装置、５８…凹所、６０…制御部、６６…判定部  １００…光源装置  １１０…放電灯、１１２…発光管部、１１４…シール部、１１６…内部空間、１１８…箔、１２０…電極、１２２…リード棒、１２４…水銀  １５０…リフレクタ、１５１…リフレクタ容器、１５２…反射面、１５４…開口、１５５…底頸部、１５６…シール部挿設孔  １７０…絶縁ベース、１７２…リフレクタ挿入穴、１７４…内側空間、１７６…電源ケーブル挿通穴  ２００…紫外線光源、２０２…ＬＥＤ、２０４…白熱灯
【図１】
2019176600.tif 000003
【図２】
2019176600.tif 000004
【図３】
2019176600.tif 000005
【図４】
2019176600.tif 000006
【図５】
2019176600.tif 000007
【図６】
2019176600.tif 000008
【図７】
2019176600.tif 000009
【図８】
2019176600.tif 000010
【図９】
2019176600.tif 000011
【国際調査報告】
2019176600.tif 000012
2019176600.tif 000013
2019176600.tif 000014
2019176600.tif 000015